(57)【要約】【課題】趣味・嗜好に合ったテレビジョン放送番組を見つけ出すことを支援する電子装置を提供することである。【解決手段】実施形態によれば、電子装置は、登録手段と、表示手段と、を具備する。登録手段は、第１人物の登録情報と第２人物の登録情報とを登録する。表示手段は、一方の軸が放送時刻に対応し、他方の軸がチャンネルに対応し、二次元配列される複数のセル上に番組情報が配置される番組表を表示する。前記番組表は、第１時間帯の第１チャンネルの第１番組に対応する第１セルと、第２時間帯の第２チャンネルの第２番組に対応する第２セルと、を少なくとも含む。前記表示手段は、前記第１番組の出演者に前記第１人物が含まれる場合、前記第１セルに前記第１人物の第１画像を表示し、前記第２番組の出演者に前記第２人物が含まれる場合、前記第２セルに前記第２人物の第２画像を表示する。【選択図】図１
2018195919.tif 000002
【特許請求の範囲】
【請求項１】
第１人物の登録情報と第２人物の登録情報とを登録する登録手段と、
一方の軸が放送時刻に対応し、他方の軸がチャンネルに対応し、二次元配列される複数のセル上に番組情報が配置される番組表を表示する表示手段と、
を具備し、
前記番組表は、第１時間帯の第１チャンネルの第１番組に対応する第１セルと、第２時間帯の第２チャンネルの第２番組に対応する第２セルと、を少なくとも含み、
前記表示手段は、
前記第１番組の出演者に前記第１人物が含まれる場合、前記第１セルに前記第１人物の第１画像を表示し、
前記第２番組の出演者に前記第２人物が含まれる場合、前記第２セルに前記第２人物の第２画像を表示する、
電子装置。
【請求項２】
前記登録情報は、優先度を含み、
前記表示手段は、前記第１番組の出演者に前記第１人物と前記第２人物とが含まれる場合、前記優先度に基づき、前記第１セルに前記第１画像または前記第２画像の一方または両方を表示する、
請求項１に記載の電子装置。
【請求項３】
前記登録手段は、前記第２人物の登録解除に伴い前記第２人物の登録情報を削除し、
前記表示手段は、前記第２人物の登録解除後に前記番組表を表示する場合、前記第２セル上に前記第２画像を含まない前記第２番組の番組情報を配置する、
請求項１に記載の電子装置。
【請求項４】
前記番組表は、第３時間帯の第３チャンネルの第３番組に対応する第３セルをさらに含み、
前記表示手段は、前記第３番組の出演者に前記第１人物および前記第２人物が含まれない場合、前記第３セル上に前記第１画像および前記第２画像を含まない前記第３番組の番組情報を配置する、
請求項１に記載の電子装置。
【請求項５】
前記第１画像は、前記第１番組の中で前記第１人物が登場している場面の画像に基づいて生成される画像であり、
前記第２画像は、前記第２番組の中で前記第２人物が登場している場面の画像に基づいて生成される画像である、
請求項１に記載の電子装置。
【請求項６】
前記番組表は、第４時間帯の第４チャンネルの第４番組に対応する第４セルをさらに含み、
前記表示手段は、前記第４セルの大きさが閾値以下であり、かつ、前記第４番組の出演者に前記第１人物または前記第２人物が含まれる場合、前記第４セルに前記第１画像または前記第２画像を含まない前記第４番組の番組情報を配置し、かつ、前記第４セルを他のセルと識別可能に表示する、
請求項１に記載の電子装置。
【請求項７】
第１人物の登録情報と第２人物の登録情報とを登録することと、
一方の軸が放送時刻に対応し、他方の軸がチャンネルに対応し、二次元配列される複数のセル上に番組情報が配置される番組表を表示することと、
を具備し、
前記番組表は、第１時間帯の第１チャンネルの第１番組に対応する第１セルと、第２時間帯の第２チャンネルの第２番組に対応する第２セルと、を少なくとも含み、
前記表示することは、
前記第１番組の出演者に前記第１人物が含まれる場合、前記第１セルに前記第１人物の第１画像を表示することと、
前記第２番組の出演者に前記第２人物が含まれる場合、前記第２セルに前記第２人物の第２画像を表示することと、
を含む方法。
【請求項８】
前記登録情報は、優先度を含み、
前記表示することは、前記第１番組の出演者に前記第１人物と前記第２人物とが含まれる場合、前記優先度に基づき、前記第１セルに前記第１画像または前記第２画像の一方または両方を表示することを含む、
請求項７に記載の方法。
【請求項９】
前記第２人物の登録解除に伴い前記第２人物の登録情報を削除することを具備し、
前記表示することは、前記第２人物の登録解除後に前記番組表を表示する場合、前記第２セル上に前記第２画像を含まない前記第２番組の番組情報を配置することを含む、
請求項７に記載の方法。
【請求項１０】
前記番組表は、第３時間帯の第３チャンネルの第３番組に対応する第３セルをさらに含み、
前記表示することは、前記第３番組の出演者に前記第１人物および前記第２人物が含まれない場合、前記第３セル上に前記第１画像および前記第２画像を含まない前記第３番組の番組情報を配置することを含む、
請求項７に記載の方法。
【請求項１１】
前記第１画像は、前記第１番組の中で前記第１人物が登場している場面の画像に基づいて生成される画像であり、
前記第２画像は、前記第２番組の中で前記第２人物が登場している場面の画像に基づいて生成される画像である、
請求項７に記載の方法。
【請求項１２】
前記番組表は、第４時間帯の第４チャンネルの第４番組に対応する第４セルをさらに含み、
前記表示することは、前記第４セルの大きさが閾値以下であり、かつ、前記第４番組の出演者に前記第１人物または前記第２人物が含まれる場合、前記第４セルに前記第１画像または前記第２画像を含まない前記第４番組の番組情報を配置し、かつ、前記第４セルを他のセルと識別可能に表示することを含む、
請求項７に記載の方法。
【発明の詳細な説明】
【技術分野】
【０００１】
本発明の実施形態は、電子装置および方法に関する。
【背景技術】
【０００２】
近年、地上デジタル放送、ＢＳ（Broadcasting Satellite）デジタル放送、１１０度ＣＳ（Communications Satellite）デジタル放送などによって、膨大な数のテレビジョン放送番組を受信・視聴することが可能である。反面、膨大な数のテレビジョン放送番組の中から趣味・嗜好に合ったテレビジョン放送番組を見つけ出すのが困難になってきている。
【先行技術文献】
【特許文献】
【０００３】
【特許文献１】特開２００８−１１８３９５号公報
【発明の概要】
【発明が解決しようとする課題】
【０００４】
本発明が解決しようとする課題は、膨大な数のテレビジョン放送番組の中から趣味・嗜好に合ったテレビジョン放送番組を見つけ出すことを支援することができる電子装置および方法を提供することである。
【課題を解決するための手段】
【０００５】
実施形態によれば、電子装置は、登録手段と、表示手段と、を具備する。登録手段は、第１人物の登録情報と第２人物の登録情報とを登録する。表示手段は、一方の軸が放送時刻に対応し、他方の軸がチャンネルに対応し、二次元配列される複数のセル上に番組情報が配置される番組表を表示する。前記番組表は、第１時間帯の第１チャンネルの第１番組に対応する第１セルと、第２時間帯の第２チャンネルの第２番組に対応する第２セルと、を少なくとも含む。前記表示手段は、前記第１番組の出演者に前記第１人物が含まれる場合、前記第１セルに前記第１人物の第１画像を表示し、前記第２番組の出演者に前記第２人物が含まれる場合、前記第２セルに前記第２人物の第２画像を表示する。
【図面の簡単な説明】
【０００６】
【図１】実施形態の電子装置の一構成例を概略的に示すブロック図。
【図２】実施形態の電子装置を実現する様々な形態を説明するための第１の図。
【図３】実施形態の電子装置を実現する様々な形態を説明するための第２の図。
【図４】実施形態の電子装置がＴＶ装置とクラウドサーバとの連携により実現される一例を示す図。
【図５】実施形態の電子装置において用いられる番組情報、お気に入り出演者リストおよび画像情報の一例を示す図。
【図６】実施形態の電子装置における番組表の一表示例を示す図。
【図７】実施形態の電子装置における番組表の別の一表示例を示す図。
【図８】実施形態の電子装置による番組表の表示処理の流れを示すフローチャート。
【発明を実施するための形態】
【０００７】
以下、実施形態について図面を参照して説明する。
【０００８】
図１は、本実施形態の電子装置１００の一構成例を概略的に示すブロック図である。この電子装置１００は、地上デジタル放送、ＢＳデジタル放送、１１０度ＣＳデジタル放送などの膨大な数のテレビジョン放送番組の中から趣味・嗜好に合ったテレビジョン放送番組を見つけ出すことを支援するためのＧＵＩ（Graphical User Interface）を提供するシステムである。より詳細には、この電子装置１００は、ユーザの趣味・嗜好を視覚的に反映させてテレビジョン放送番組表を表示するシステムである。なお、以下、テレビジョン放送番組やテレビジョン放送番組表を、単に、番組や番組表と称することがある。また、番組は、放送波により放送されるものに限られず、たとえばインターネット経由で配信されるものなどであってもよい。したがって、番組表は、たとえばインターネット経由での配信予定を示すものなどであってもよい。そして、この電子装置１００は、図１に示すように、番組表生成部１０１、画像選択部１０２、お気に入り出演者リスト管理部１０３および画像情報管理部１０４を有している。
【０００９】
この電子装置１００は、様々な形態で実現し得る。たとえば、図２に示すように、各種放送波を受信可能なテレビジョン受像機（ＴＶ装置）１で番組を視聴するユーザ向けに当該ＴＶ装置１にて番組表を表示する環境を想定した場合、この電子装置１００を、ＴＶ装置１単体で実現することもできるし、このＴＶ装置１とインターネットＮ経由で接続されるクラウドサーバ２単体で実現することもできるし、ＴＶ装置１とクラウドサーバ２とが連携して実現することもできる。ＴＶ装置１単体またはクラウドサーバ２単体で実現するとは、番組表生成部１０１、画像選択部１０２、お気に入り出演者リスト管理部１０３および画像情報管理部１０４のすべてがＴＶ装置１上またはクラウドサーバ２上に構築されることである。また、ＴＶ装置１とクラウドサーバ２とが連携して実現するとは、番組表生成部１０１、画像選択部１０２、お気に入り出演者リスト管理部１０３および画像情報管理部１０４の一部がＴＶ装置１上に構築され、その他の一部がクラウドサーバ２上に構築されることである。
【００１０】
番組表は、今後の放送予定を示すものに限られない。たとえば、ＴＶ装置１が、複数のチューナを有し、外部接続される記憶装置１Ａを用いて、チューナと同数のチャンネルの番組を一定期間分（当該一定期間以上前に録画され、かつ、不要と判断できるものを消去しながら）自動的に録画している場合、録画されている過去に放送された番組の一覧を示すものであってもよい。
【００１１】
図１に示す番組情報２０１は、放送波から取得されるものであってもよいし、インターネットＮ経由で接続されるＷｅｂサービスサーバから取得されるものであってもよい。さらには、前述のような録画が行われている場合、番組情報２０１は、録画情報であってもよい。
【００１２】
また、たとえば、図３に示すように、ＴＶ装置１で番組を視聴するユーザ向けに当該ＴＶ装置１のリモートコントローラとして動作するタブレットやスマートフォンなどの携帯端末３にて番組表を表示する環境を想定した場合、この電子装置１００を、携帯端末３単体で実現することもできるし、この携帯端末３とインターネットＮ経由で接続されるクラウドサーバ２単体で実現することもできるし、携帯端末３とクラウドサーバ２とが連携して実現することもできる。携帯端末３は、ＴＶ装置１のリモートコントローラとして動作するものに限られず、番組表を閲覧するために用いられるものであってもよい。換言すれば、番組表は、クラウドサーバ２が、ユーザに応じて、たとえばＷｅｂページとして提供するものであってもよい。つまり、この電子装置１００は、ＴＶ装置１の存在を必須とするものではない。また、前述したように、番組は、たとえばインターネット経由で配信されるものなどであってもよく、当該配信される番組を、携帯端末３で視聴する環境を想定した場合、つまり、携帯端末３がＴＶ装置１の役割を担う場合にも、この電子装置１００を、携帯端末３単体で実現することもできるし、この携帯端末３とインターネットＮ経由で接続されるクラウドサーバ２単体で実現することもできるし、携帯端末３とクラウドサーバ２とが連携して実現することもできる。このように、この電子装置１００は、ＴＶ装置１の存在を必須とするものではない。また、携帯端末３が放送波により放送される番組を視聴する機能を備える場合も同様である。
【００１３】
番組表生成部１０１、画像選択部１０２、お気に入り出演者リスト管理部１０３および画像情報管理部１０４は、各々、記憶メディアに格納されたプログラムを１または複数のプロセッサが実行することによって実現されるものであってもよいし、各種素子を組み合わせた電子回路によって実現されるものであってもよい。
【００１４】
ここでは、この電子装置１００が、図４に示すように、ＴＶ装置１とクラウドサーバ２とが連携して実現されていることを想定する。なお、ここでは、番組表生成部１０１、画像選択部１０２およびお気に入り出演者リスト管理部１０３がＴＶ装置１に構築され、画像情報管理部１０４がクラウドサーバ２に構築されていることを想定するが、ＴＶ装置１とクラウドサーバ２とが連携する形態は、これに限られるものではなく、たとえば、お気に入り出演者リスト管理部１０３を（ＴＶ装置１にではなく）クラウドサーバ２に構築するようにするなど、種々の変更が可能である。
【００１５】
以下、図１および図４を併せて参照して、この電子装置１００による番組表の表示処理について説明する。
【００１６】
番組表生成部１０１は、表示対象となり得る複数の番組の番組情報２０１に基づき、画像選択部１０２と連携して、ユーザの趣味・嗜好を視覚的に反映させた番組表情報２０４を生成する。前述したように、番組情報２０１は、放送波から取得されるものであってもよいし、インターネットＮ経由で接続されるＷｅｂサービスサーバから取得されるものであってもよいし、録画情報であってもよい。また、番組表情報２０４は、たとえば、一方の軸を放送時刻とし、他方の軸をチャンネルとして、番組情報が配置されるセルを二次元配列させた番組表を表示するための情報、つまり複数の番組情報を含む情報である。番組情報２０１には、たとえば番組中の代表的なシーンなどの代表画像の画像情報が含まれている。また、番組表情報２０４内の複数の番組情報には、基本的に、番組情報２０１に含まれている代表画像の画像情報が含まれることになる。そして、基本的には、この代表画像が、番組情報の１つとして番組表上において表示されることになる。
【００１７】
また、番組情報２０１には、出演者情報が含まれている。番組表生成部１０１は、この出演者情報を画像選択部１０２に引き渡す。お気に入り出演者リスト管理部１０３は、ユーザがあらかじめ登録した出演者のリストであるお気に入り出演者リスト２０２を管理している。画像選択部１０２は、番組表生成部１０１から受け取った出演者情報と、お気に入り出演者リスト管理部１０３によって管理されるお気に入り出演者リスト２０２とを比較し、お気に入り出演者リスト２０２に登録されている出演者が番組表生成部１０１から受け取った出演者情報に含まれていないかを調べる。
【００１８】
出演者を登録する方法、つまり、お気に入り出演者リスト２０２へ出演者を登録する方法は、特定の方法に限られず、様々な方法を採用し得る。選択肢として提示される複数の出演者の中から目的の出演者を選択してもよいし、出演者の氏名やその出演者に割り当てられている識別番号を入力してもよい。選択肢として提示される複数の出演者は、ここで前提としているように、お気に入り出演者リスト管理部１０３がＴＶ装置１に構築される場合には、たとえば、クラウドサーバ２から都度取得されるものであってもよいし、クラウドサーバ２から定期的に取得・更新されるものであってもよいし、番組情報２０１から抽出・蓄積されるものであってもよい。出演者の識別番号は、たとえば、クラウドサーバ２がインターネットＮ上で公開してもよい。
【００１９】
また、出演者を登録する方法は、あらかじめ用意された複数のお気に入り出演者リスト２０２の中からいずれか１つを選択するものであってもよい。あらかじめ用意されるお気に入り出演者リスト２０２とは、たとえば、同じ趣味・嗜好を持つ複数のユーザから登録される可能性の高い出演者の組み合わせからなるものなどである。お気に入り出演者リスト管理部１０３がクラウドサーバ２に構築される場合には、ＴＶ装置１を介さずに、インターネットＮ経由でクラウドサーバ２に接続可能な携帯端末３などにより、出演者の登録作業を行えるようにしてもよい。また、登録済みの出演者について、その登録を解除できるようにしてもよいことはいうまでもない。
【００２０】
このように、出演者の登録については、特定の形態に限らず、ユーザが目的の出演者を指定するためのＧＵＩが提供されていればよい。
【００２１】
さらには、出演者を登録する方法は、ユーザの作業を必要とせずに、自動的に行われるものであってもよい。たとえば、ＳＮＳ（Social Networking Service）を提供するＷｅｂサーバからユーザの情報を取得し、出演者に関する情報を抽出・登録するなどであってもよい。
【００２２】
画像選択部１０２は、お気に入り出演者リスト２０２に登録されている出演者が番組表生成部１０１から受け取った出演者情報に含まれている場合、その出演者の識別情報を画像情報管理部１０４に引き渡す。画像情報管理部１０４は、お気に入り出演者リスト管理部１０３が管理するお気に入り出演者リスト２０２に登録し得るすべての出演者の画像情報２０３を管理している。出演者の画像情報２０３は、インターネットＮ経由で接続されるＷｅｂサービスサーバから取得されるものであってもよいし、放送波により受信した情報（番組情報２０１内の画像に限られず、たとえば、その出演者が出演する番組中から抽出した画像であってもよい。）から生成されるものであってもよい。ここでは、出演者の画像情報２０３が、どのように生成・取得されるのかについては問わない。
【００２３】
画像情報管理部１０４は、画像選択部１０２から受け取った識別情報に対応する画像情報２０３を画像選択部１０２に引き渡す。また、画像選択部１０２は、画像情報管理部１０４から受け取った画像情報２０３を番組表生成部１０１に引き渡す。
【００２４】
該当する出演者が複数存在する場合、画像選択部１０２は、たとえば、お気に入り出演者リスト２０２への登録順などの優先度に基づき、出演者を選択すればよい。出演者の優先度を設定する方法は、たとえば、ユーザが各出演者についてランク付けした内容をお気に入り出演者リスト２０２に記録しておくなど、様々な方法を採用し得る。選択する出演者は一人でもよいし、あらかじめ定められた値を上限とする複数人でもよい。なお、お気に入り出演者リスト２０２に登録されている出演者が番組表生成部１０１から受け取った出演者情報に含まれていない場合には、画像選択部１０２は、その旨を番組表生成部１０１に回答する。
【００２５】
番組表生成部１０１は、画像選択部１０２から画像情報２０３を受け取った場合、前述した代表画像の画像情報に代えて、または、代表画像の画像情報とともに、番組表情報２０４内の番組情報に含める。これにより、番組表上の複数の番組のうち、ユーザが登録した出演者が出演する番組については、代表画像に代えて、または、代表画像とともに、その出演者の画像が、番組情報の１つとして番組表上において表示されることになる。
【００２６】
つまり、ユーザＡ向けに番組表が表示される場合には、ユーザＡが登録した出演者が出演する番組について、その出演者の画像が表示され、ユーザＢ向けに番組表が表示される場合には、ユーザＢが登録した出演者が出演する番組について、その出演者の画像が表示されることになる。このように、ユーザの趣味・嗜好を反映させて番組表を表示することにより、この電子装置１００は、膨大な数の番組の中から趣味・嗜好に合った番組を見つけ出すことを支援することができる。ここで、ユーザとは、たとえば、ＴＶ装置１に対応づけて定義されるものであってもよいし（１台のＴＶ装置１につき１ユーザ）、ＴＶ装置１で番組を視聴する複数のユーザそれぞれであってもよい。後者の場合、たとえば、ＴＶ装置１にてユーザの切り替え操作を行ったり、リモートコントローラとして使用される携帯端末３の識別情報でユーザを判断したり、携帯端末３で番組表を閲覧する際のログイン操作時に入力される情報でユーザを判断したりすることが可能である。あるいは、携帯端末３がリモートコントローラとして使用されない場合でも、ＴＶ装置１が、近傍に存在する携帯端末３を無線通信により探索し、探索された携帯端末３の識別情報でユーザを判断することも可能である。また、後者の場合には、携帯端末３での番組表の閲覧時、各ユーザが、自分の趣味・嗜好が反映された番組表を閲覧することができる。
【００２７】
なお、番組表上には、番組情報として、前述の画像のほか、タイトル、出演者、ジャンルなどが、テキストやアイコンなどにより表示され得る。これらは、たとえば番組情報２０１から取得可能な情報である。
【００２８】
続いて、この電子装置１００が、図４に示すように、ＴＶ装置１とクラウドサーバ２とが連携して実現される場合における、当該電子装置１００による番組表の表示処理を、より具体的にさらに説明する。
【００２９】
図４に示すように、ＴＶ装置１は、クラウドアクセス機能部１１、ＧＵＩ機能部１２、ＴＶ機能部１３および録画機能部１４を有している。また、クラウドサーバ２は、サービス提供機能部２１、ネットワークインタフェース機能部２２を有している。これらの各機能部は、特定の機能のための複数のモジュールの集合体を示すものであって、複数のモジュールは、各々、記憶メディアに格納されたプログラムを１または複数のプロセッサが実行することによって実現されるものであってもよいし、各種素子を組み合わせた電子回路によって実現されるものであってもよい。
【００３０】
クラウドアクセス機能部１１は、インターネットＮ経由のクラウドサーバ２との通信を実行する。ＧＵＩ機能部１２は、ユーザへの操作画面の提示や、その操作画面に対するユーザの操作の受け付けなどを実行する。番組表の表示は、ユーザへの操作画面の提示の１つである。ＴＶ機能部１３は、（ＧＵＩ機能部１２により）ユーザが選択したチャンネルで放送されている番組を画面表示するための処理を実行する。録画機能部１４は、（ＧＵＩ機能部１２により）ユーザが予約した番組を、たとえば外部接続される記憶装置１Ａを用いて録画するための処理を実行する。録画機能部１４による番組の録画は、前述したように、ユーザの予約によらずに、ＴＶ装置１が有するチューナと同数のチャンネルの番組を一定期間分、自動的に録画するものであってもよい。また、録画機能部１４は、録画されている番組を再生するための処理も実行する。
【００３１】
また、サービス提供機能部２１は、ＴＶ装置１からの要求を受け付け、その要求に対する処理結果をＴＶ装置１へ返送する処理を実行する。ネットワークインタフェース機能部２２は、インターネットＮ経由のＴＶ装置１との通信を実行する。
【００３２】
なお、図４は、番組表生成部１０１、画像選択部１０２およびお気に入り出演者リスト管理部１０３が（ＴＶ装置１の）ＧＵＩ機能部１２に属し、画像情報管理部１０４が（クラウドサーバ２の）サービス提供機能部２１に属することを示すものであり、たとえば番組表生成部１０１、画像選択部１０２およびお気に入り出演者リスト管理部１０３がＧＵＩ機能部１２として一体化して構築されていることを示すものではない。
【００３３】
いま、ユーザが、たとえば図４には示されないリモートコントローラを使用して、ＴＶ装置１に番組表を表示させるための操作を行ったものとする。この操作は、ＧＵＩ機能部１２によって受け付けられ、番組表生成部１０１による番組表の生成が実行される。番組表生成部１０１は、要求された番組表が、今後の放送予定を示す番組表である場合、たとえば、放送波から取得されてＴＶ装置１内に格納されている番組情報２０１またはインターネットＮ経由で接続されるＷｅｂサービスサーバから取得されてＴＶ装置１内に格納されている番組情報２０１に含まれる出演者情報を画像選択部１０２に引き渡す。または、番組表生成部１０１は、都度、インターネットＮ経由で接続されるＷｅｂサービスサーバから番組情報２０１を取得して、その番組情報２０１に含まれる出演者情報を画像選択部１０２に引き渡すようにしてもよい。また、要求された番組表が、録画されている過去に放送された番組の一覧を示す番組表である場合、番組表生成部１０１は、録画機能部１４から録画情報を番組情報２０１として取得し、その番組情報２０１に含まれる出演者情報を画像選択部１０２に引き渡す。なお、番組表は、過去に放送された番組の一覧と、今後の放送予定とをシームレスに提示するものであってもよい。
【００３４】
図５に、番組情報２０１の一例を示す。図５に示すように、番組情報２０１は、代表画像２０１Ａと、説明テキスト２０１Ｂと、出演者リスト２０１Ｃとを含んでいる。出演者リスト２０１Ｃは、出演者の識別情報（ＩＤ）を含み、番組表生成部１０１は、その出演者の識別情報を出演者情報として画像選択部１０２に引き渡す。
【００３５】
また、図５には、お気に入り出演者リスト管理部１０３によって管理されるお気に入り出演者リスト２０２の一例と、画像情報管理部１０４によって管理される画像情報２０３の一例とが併せて示されている。
【００３６】
お気に入り出演者リスト２０２は、登録された各出演者に関する情報を、登録番号（Ｎｏ）と、出演者の名前と、出演者の識別情報（ＩＤ）とを含むレコードとして保持している。ここでは、登録番号が出演者間の優先度を示しているものとする。たとえば、その値の小さい方を優先度が高いものとする。画像情報２０３は、各々が識別情報（ＩＤ）と対応づけられた画像ファイルである。画像ファイルには、出演者の顔画像の情報などが格納されている。
【００３７】
番組表生成部１０１から出演者情報を受け取った画像選択部１０２は、その番組の出演者の中に、お気に入り出演者リスト管理部１０３によって管理されるお気に入り出演者リスト２０２に登録されている出演者が含まれていないかを調べる（図５のａ１）。含まれていた場合、つまり、その番組が、登録された出演者が出演する番組である場合、画像選択部１０２は、その出演者の画像情報２０３を画像情報管理部１０４から取得する（図５のａ２）。
【００３８】
より詳細には、画像選択部１０２は、クラウドアクセス機能部１１を介して、出演者の識別情報をパラメータとして付した、画像情報２０３の転送要求をクラウドサーバ２へ送信する。この要求は、クラウドサーバ２において、ネットワークインタフェース機能部２２により受信され、当該ネットワークインタフェース機能部２２からサービス提供機能部２１、つまり画像情報管理部１０４に引き渡される。
【００３９】
画像情報管理部１０４は、パラメータとして付された識別情報に対応する画像ファイルを検索し、検索された画像ファイルを、要求された画像情報２０３として、クラウドアクセス機能部１１を介して、ＴＶ装置１へ送信する。この画像情報２０３は、ＴＶ装置１において、クラウドアクセス機能部１１により受信され、当該クラウドアクセス機能部１１からＧＵＩ機能部１２、つまり画像選択部１０２に引き渡される。また、この画像情報２０３は、さらに、画像選択部１０２から番組表生成部１０１に引き渡される。
【００４０】
一方、番組表生成部１０１から受け取った出演者情報から、その番組が、登録された出演者が出演していない番組であると判断した場合、画像選択部１０２は、その旨を番組表生成部１０１に回答する。
【００４１】
番組表生成部１０１は、画像選択部１０２から画像情報２０３を受け取った番組については、番組情報の１つとして、その画像情報２０３を用いて、また、画像選択部１０２から登録された出演者が出演していない番組である旨を回答された番組については、番組情報２０１に含まれる代表画像２０１Ａを用いて、たとえば番組に対応するセルが二次元配列された番組表を表示するための番組表情報２０４を生成する。ＧＵＩ機能部１２は、番組表生成部１０１によって生成された番組表情報２０４を用いて、ＴＶ装置１上に番組表を表示する。
【００４２】
図６は、この電子装置１００における番組表の一表示例を示す図である。
【００４３】
この電子装置１００における番組表は、たとえば、図６に示すように、縦軸が放送時刻に対応し、横軸がチャンネルに対応し、番組情報が配置される複数のセル（ｂ１）が、放送時間帯とチャンネルとに応じた位置・サイズで二次元配列される。また、各セルには、画像の表示領域（ｂ２）が確保される。そして、前述したように、この画像の表示領域には、基本的に、番組情報２０１の代表画像が配置され、一方、登録された出演者が出演する番組については、番組情報２０１の代表画像に代えて、または、番組情報２０１の代表画像とともに、その出演者の画像が配置される。番組情報２０１の代表画像とともに出演者の画像を配置する形態としては、様々な形態を採用し得る。たとえば、２つの画像を並べるように配置してもよいし、一方の画像（番組情報２０１の代表画像）上に他方の画像（出演者の画像）を重ね合わせるように配置してもよい。図６には、登録された出演者が出演する番組については、画像の表示領域には、番組情報２０１の代表画像に代えて、その出演者の画像が配置される例を示している（ｂ３，ｂ４）。図６中、符号ｂ３で示される画像は、ユーザが登録した出演者Ａの画像であり、また、符号ｂ４で示される画像は、ユーザが登録した出演者Ｂの画像である。この電子装置１００により、たとえば図６に示すように表示される番組表によれば、ユーザは、２月１５日水曜日の午後７時から午後１１時までの５チャンネル分の番組の中に、「○○テレビ」のチャンネル（左端のチャンネル）の午後７時から午後９時までの時間帯に放送される番組と、「テレビ◇◇」のチャンネル（右端のチャンネル）の午後１０時から午後１０時５０分までの時間帯に放送される番組とが、出演者Ａが出演する番組であることを視覚的に認識することができ、また、「××テレビ」のチャンネル（左から２番目のチャンネル）の午後９時３０分から午後１１時までの時間帯に放送される番組が、出演者Ｂが出演する番組であることを視覚的に認識することができる。つまり、この電子装置１００は、番組表を表示するにあたり、ユーザが登録した出演者が出演する番組の情報を、当該ユーザが登録した出演者が出演していない番組の情報と識別可能に番組表上に配置する。
【００４４】
仮に、この時間帯の番組表を、他のＴＶ装置１において他のユーザが表示させた場合には、当該他のユーザが登録した出演者が出演する番組について、画像の表示領域に、その出演者の画像が配置されることになる。また、仮に、たとえばユーザが出演者Ａを登録解除した後、この時間帯の番組表を再度表示させた場合には、登録解除前には出演者Ａの画像が表示されていた番組について、出演者Ａの画像は表示されなくなり、その番組の代表画像が表示されることになる。
【００４５】
このように、ユーザの趣味・嗜好を視覚的に反映させて番組表を提示する仕組み（ＧＵＩ）を備えることで、この電子装置１００は、膨大な数のテレビジョン放送番組の中から趣味・嗜好に合ったテレビジョン放送番組を見つけ出すことを支援することができる。
【００４６】
なお、図６に示す番組表は、縦方向または横方向のいずれにもスクロールすることができる。つまり、表示対象とする時間帯やチャンネル群を変更することができる。また、任意の日時にジャンプすることができる。たとえばスクロールにより、新たに表示対象となった番組が、登録された出演者が出演する番組であるならば、その出演者の画像が表示されることになる。前述したように、番組表は、今後の放送予定を示すものに限られず、録画されている過去に放送された番組の一覧を示すものであってもよいので、スクロールにより、両者間をシームレスに移動できるようにしてもよい。さらには、録画されている過去に放送された番組の一覧を示す番組表である場合、登録された出演者の画像を、画像情報管理部１０４から取得することに代えて、録画されている番組中から抽出・生成した画像（登録された出演者が登場する画像）としてもよい。録画されている番組の中から特定の出演者が登場する場面の画像を抽出・生成する方法については、既知の様々な方法を適用し得る。
【００４７】
また、１つの番組に、登録された複数の出演者が出演している場合もあり得る。このような場合において、その番組の画像の表示領域に、当該複数の出演者の画像を配置する形態についても、様々な形態を採用し得る。前述したように、お気に入り出演者リスト２０２に登録されている出演者について設定されている優先度に基づき、最も優先度の高い出演者の画像を１つだけ配置するようにしてもよいし、あらかじめ定められた値を上限として優先度順に複数の出演者を選択し、当該複数の出演者の画像を並べて配置するようにしてもよい。複数の出演者の画像を並べるにあたり、たとえば、優先度に基づき、各画像のサイズを決定したり、位置を決定したりしてもよい。
【００４８】
さらには、前述したように、各セルは、放送時間帯とチャンネルとに応じた位置・サイズで二次元配列されるので、放送時間の短い番組に、登録された出演者が出演しているものの、その出演者の画像の表示領域を確保できない場合も生じ得る。このような場合、その出演者の画像を表示することに代えて、たとえば、背景色を変えたり、枠の線の色や太さを変えたりするなどにより、当該セルを他のセルと識別可能に表示するようにしてもよい。背景色を変えたり、枠の線の色や太さを変えたりすることは、登録された出演者の画像を表示することに加えて行ってもよい。
【００４９】
また、番組表上には、各番組について画像の表示領域を設けず、登録された出演者が出演する番組に対応するセルを、背景色を変えたり、枠の線の色や太さを変えたりすることで、その他の番組（登録された出演者が出演していない番組）に対応するセルとの差別化を図り、登録された出演者が出演する番組が選択された状態で、当該番組の詳細情報をさらに表示する操作が行われた場合に、その詳細情報を表示する表示領域上において、その番組の代表画像に代えて、その出演者の画像を表示するようにしてもよい。
【００５０】
また、図６には、番組表として、番組に対応するセルを二次元配列する例を示したが、これに限られず、たとえば、図７に示すように、たとえば放送中のある番組を視聴しながら番組表をチェックしたいというニーズに応えるべく、視聴中の番組の画像（ｃ１）とともに、たとえば１チャンネル分の番組に対応するセルが一次元配列された番組表（ｃ２）を表示するようにしてもよい。そして、この番組表上の番組中に、登録された出演者が出演する番組が存在する場合、その番組情報の１つとして、その出演者の画像（ｃ３）を表示するようにしてもよい。図７に示す番組表も、縦方向または横方向のいずれにもスクロールすることができる。つまり、表示対象とする時間帯やチャンネルを変更することができる。また、任意の日時にジャンプすることができる。このように、番組に対応するセルを一次元配列した番組表を表示する場合においても、膨大な数のテレビジョン放送番組の中から趣味・嗜好に合ったテレビジョン放送番組を見つけ出すことを支援することができる。
【００５１】
図８は、この電子装置１００による番組表の表示処理の流れを示すフローチャートである。
【００５２】
まず、番組表生成部１０１が、画像選択部１０２へ番組情報２０１、より詳細には、出演者に関する情報を引き渡す（ブロックＡ１）。画像選択部１０２は、お気に入り出演者リスト管理部１０３からお気に入り出演者リスト２０２を取得し（ブロックＡ２）、番組表生成部１０１から受け取った番組情報２０１内の出演者に関する情報と、お気に入り出演者リスト２０２内の出演者の識別情報（ＩＤ）とを照合する（ブロックＡ３）。
【００５３】
識別情報（ＩＤ）の一致する出演者が見つかった場合（ブロックＡ４のＹＥＳ）、画像選択部１０２は、その出演者の画像（画像情報２０３）を画像情報管理部１０４から取得し、番組表生成部１０１へ返却する（ブロックＡ５）。識別情報（ＩＤ）の一致する出演者が見つからなかった場合には（ブロックＡ４のＮＯ）、画像選択部１０２は、その旨を番組表生成部１０１に回答する。
【００５４】
番組表生成部１０１は、画像選択部１０２から受け取った画像（画像情報２０３）または番組情報２０１内の画像（番組の代表画像）を、生成する番組表に貼り付け、番組表情報（２０４）として出力する（ブロックＡ６）。
【００５５】
以上のように、この電子装置１００によれば、膨大な数のテレビジョン放送番組の中から趣味・嗜好に合ったテレビジョン放送番組を見つけ出すことを支援することができる。
【００５６】
なお、以上の説明では、ユーザの趣味・嗜好を番組表に反映させるために、出演者を登録する例を示したが、登録内容（登録情報）としては、出演者に限られず、様々な情報を適用し得る。たとえば、スポーツ、映画、ドラマ、ドキュメンタリ、アニメーションなどのジャンルを登録するようにしてもよい。各番組のジャンルは、番組情報２０１で判定することができ、登録されたジャンルの番組である場合、そのジャンルを示す画像を表示するようにしてもよい。また、録画されている過去に放送された番組の一覧を示す番組表である場合、録画されている番組中から抽出・生成した名シーンの画像を表示し、かつ、背景色を変えたり、枠の線の色や太さを変えたりするなどにより、登録されたジャンルの番組であることを示すようにしてもよい。あるいは、好きな番組を登録し、その番組と関連性のある番組について、その他の番組と差別化して表示するようにしてもよい。番組間の関連性の有無を判定する方法は、同一シリーズ、同一原作者、複数出演者の重複など、様々な方法を採用し得る。その方法は、番組情報２０１で行えるものが好ましい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５８】
１…テレビジョン受像機（ＴＶ装置）、２…クラウドサーバ、３…携帯端末、１１…クラウドアクセス機能部、１２…ＧＵＩ機能部、１３…ＴＶ機能部、１４…録画機能部、２１…サービス提供機能部、２２…ネットワークインタフェース機能部、１００…電子装置、１０１…番組表生成部、１０２…画像選択部、１０３…お気に入り入り出演者リスト管理部、１０４…画像情報管理部、２０１…番組情報、２０２…お気に入り出演者リスト、２０３…画像情報、２０４…番組表情報。
【図１】
2018195919.tif 000003
【図２】
2018195919.tif 000004
【図３】
2018195919.tif 000005
【図４】
2018195919.tif 000006
【図５】
2018195919.tif 000007
【図６】
2018195919.tif 000008
【図７】
2018195919.tif 000009
【図８】
2018195919.tif 000010